(57)【要約】  コンテンツを処理実行した相手との操作履歴情報を保持し、当該コンテンツの処理実行時に当該操作履歴情報に対応するライフログをユーザに確認的に提示することにより、当該相手を想起させてコミュニケーションの促進を図る。コンテンツの操作日時と操作内容と操作相手とが関連付けられた操作履歴情報を記憶する操作履歴情報記憶部と、コンテンツの操作履歴情報の操作内容に対応するライフログを記憶するライフログ記憶部と、入力されたコンテンツの処理実行の指示に応じて、操作履歴情報記憶部からコンテンツに対応する操作履歴情報を取得するコンテンツ処理実行制御部と、取得された操作履歴情報に基づいて、ライフログ記憶部から当該操作履歴情報の操作内容に対応するライフログを取得するライフログ取得部と、取得されたライフログを、コンテンツの処理実行の際に提示するように制御するライフログ提示制御部とを備える。
2011158418.tif 000002
【特許請求の範囲】
【請求項１】
コンテンツの操作日時と操作内容と操作相手とが関連付けられた操作履歴情報を記憶する操作履歴情報記憶部と、
前記コンテンツの操作履歴情報の操作内容に対応するライフログを記憶するライフログ記憶部と、
入力されたコンテンツの処理実行の指示に応じて、前記操作履歴情報記憶部から当該コンテンツに対応する操作履歴情報を取得するコンテンツ処理実行制御部と、
前記コンテンツ処理実行制御部により取得された操作履歴情報に基づいて、前記ライフログ記憶部から当該操作履歴情報の操作内容に対応するライフログを取得するライフログ取得部と、
前記ライフログ取得部により取得されたライフログを、前記コンテンツの処理実行の際に提示するように制御するライフログ提示制御部と、を備えるコンテンツ処理実行装置。
【請求項２】
請求項１に記載のコンテンツ処理実行装置であって、
前記ライフログ取得部は、前記操作履歴情報の操作相手に対応するライフログを取得し、
前記ライフログ提示制御部は、前記ライフログ取得部により取得された前記操作内容に対応するライフログの提示後に、前記ライフログ取得部により取得された前記操作相手に対応するライフログを提示するように制御するコンテンツ処理実行装置。
【請求項３】
請求項１又は２に記載のコンテンツ処理実行装置であって、
前記ライフログ提示制御部により提示するように制御されたライフログを提示する提示部と、を更に備えたコンテンツ処理実行装置。
【請求項４】
請求項３に記載のコンテンツ処理実行装置であって、
前記提示部は、前記ライフログを表示する表示部であり、
前記ライフログ提示制御部は、当該ライフログを前記表示部に表示させるように制御するコンテンツ処理実行装置。
【請求項５】
請求項３に記載のコンテンツ処理実行装置であって、
前記提示部は、前記ライフログを音声出力する音声出力部であり、
前記ライフログ提示制御部は、当該ライフログを前記音声出力部に音声出力させるように制御するコンテンツ処理実行装置。
【請求項６】
請求項１〜５のうちいずれか一項に記載のコンテンツ処理実行装置であって、
前記操作履歴情報の操作相手のユーザ情報を記憶するユーザ情報記憶部と、を更に備え、
前記ライフログ取得部は、前記ユーザ情報記憶部から当該操作履歴情報の操作相手のユーザ情報を取得するコンテンツ処理実行装置。
【請求項７】
請求項６に記載のコンテンツ処理実行装置であって、
前記操作履歴情報の操作内容に応じて、前記ライフログの説明内容であるキャプションのテンプレートが定められたテンプレートデータを記憶するテンプレート記憶部と、
前記テンプレート記憶部から前記操作履歴情報の操作内容に応じたテンプレートデータと、前記ライフログ取得部により取得されたライフログ及びユーザ情報とに基づいて前記キャプションを生成するキャプション提示制御部と、を更に備えるコンテンツ処理実行装置。
【請求項８】
請求項１又は２に記載のコンテンツ処理実行装置であって、
前記操作履歴情報の優先度情報を記憶する優先度情報記憶部を更に備え、
前記コンテンツ処理実行制御部は、前記入力されたコンテンツの処理実行の指示に応じて複数の前記操作履歴情報を取得した場合に、前記優先度情報に基づいて当該複数の操作履歴情報から特定の操作履歴情報を選択するコンテンツ処理実行装置。
【請求項９】
請求項８に記載のコンテンツ処理実行装置であって、
前記ライフログ提示制御部により提示するように制御されたライフログを提示する提示部を更に備え、
前記コンテンツ処理実行制御部は、前記提示部により提示されているライフログの非提示の処理実行の指示に応じて、当該指示されたライフログを前記ライフログ取得部の取得対象から除外する旨の取得除外情報を前記優先度情報記憶部に記憶し、
前記ライフログ取得部は、前記優先度情報記憶部に記憶された取得除外情報及び前記コンテンツ処理実行制御部により取得された操作履歴情報に基づいて、前記ライフログ記憶部から当該取得除外情報に対応するライフログを除外して当該操作履歴情報の操作内容に対応するライフログを取得するコンテンツ処理実行装置。
【請求項１０】
請求項９に記載のコンテンツ処理実行装置であって、
前記操作履歴情報の操作相手のユーザ情報を記憶するユーザ情報記憶部を更に備え、
前記コンテンツ処理実行制御部は、前記提示部により提示されているライフログに対応する操作相手への連絡指示に応じて、前記ユーザ情報記憶部により取得された当該操作相手のユーザ情報を含む連絡画面を前記提示部としての表示部に表示するように制御するコンテンツ処理実行装置。
【請求項１１】
請求項１〜１０のうちいずれか一項に記載のコンテンツ処理実行装置であって、
前記コンテンツが処理実行された場合に、当該コンテンツの操作日時と操作内容と操作相手とが関連付けられた操作履歴情報を生成する操作履歴情報生成部と、を更に備え、
前記操作履歴情報生成部は、当該生成された操作履歴情報を前記操作履歴情報記憶部に記憶するコンテンツ処理実行装置。
【請求項１２】
コンテンツの処理実行の指示を入力するステップと、
前記入力されたコンテンツの処理実行の指示に応じて、当該コンテンツの操作日時と操作内容と操作相手とが関連付けられた操作履歴情報を記憶する操作履歴情報記憶部から前記指示に対応するコンテンツの操作履歴情報を取得するステップと、
前記取得された操作履歴情報に基づいて、前記コンテンツの操作履歴情報の操作内容に対応するライフログを記憶するライフログ記憶部から前記操作履歴情報の操作内容に対応するライフログを取得するステップと、
前記取得されたライフログを、前記コンテンツの処理実行の際に提示するように制御するステップと、を備えたコンテンツ処理実行方法。
【請求項１３】
コンピュータであるコンテンツ処理実行装置に、
コンテンツの処理実行の指示を入力するステップと、
前記入力されたコンテンツの処理実行の指示に応じて、当該コンテンツの操作日時と操作内容と操作相手とが関連付けられた操作履歴情報を記憶する操作履歴情報記憶部から前記指示に対応するコンテンツの操作履歴情報を取得するステップと、
前記取得された操作履歴情報に基づいて、前記コンテンツの操作履歴情報の操作内容に対応するライフログを記憶するライフログ記憶部から前記操作履歴情報の操作内容に対応するライフログを取得するステップと、
前記取得されたライフログを、前記コンテンツの処理実行の際に提示するように制御するステップと、を実現させるためのプログラム。
【発明の詳細な説明】
【技術分野】
【０００１】
本発明は、ユーザがコンテンツを処理実行したときの相手を想起させるコンテンツ処理実行装置、コンテンツ処理実行方法、及びプログラムに関する。
【背景技術】
【０００２】
一般に、ユーザは、携帯電話機又はＰＤＡ（Personal Digital Assistant）等の携帯端末を操作して、特定の相手に対してメールを送信したり又は当該相手からメールを受信したりすることにより、当該相手とのコミュニケーションを適度に図ることができる。以下の説明において、ユーザが日常生活の中で前述した携帯端末を用いてメールの送信、メールの受信、被写体の撮影、メール又はサイト等の閲覧及び音楽データの着信音設定等の各操作を実行したときにおける当該操作日時、場所、当該操作日時に当該場所で操作したというログ情報、及び当該操作の際に使用されたデータを「ライフログ」と称する。例えば、ユーザが携帯端末を用いて或るファイルを添付した状態で友人にメールを送信した場合には、ライフログには、当該友人のメールアドレス、メールの送信日時、送信したときの場所、当該場所で当該日時にメールを送信したというログ情報、当該添付されたファイル及び当該メール本文の内容が含まれる。また、他の例として、ユーザがカメラ機能を有する携帯端末を用いて友人を撮影した場合には、ライフログには、被写体である当該友人の撮影画像、撮影日時、場所、当該場所で当該日時に撮影したというログ情報が含まれる。更に、他の例として、ユーザが携帯端末を用いてＳＮＳ（Social Network Service）等の様なｗｅｂサービスを利用して投稿文章等を送信した場合には、ライフログには、当該送信時に使用したアカウント情報、投稿内容等のログ情報が含まれる。【０００３】
このライフログは当該携帯端末に内蔵されたフラッシュメモリ等の記憶部に記憶されていることが多く、近年の技術開発の過程において、当該記憶されているライフログを積極的に用いて解析することにより、ユーザ同士のコミュニケーションをより促進させる技術が数多く提案されている。この様なユーザ同士のコミュニケーションを促進させる技術として、例えば特許文献１が開示されている。【０００４】
特許文献１には、利用者の操作履歴を共有する複数の通信端末と、当該通信端末を管理する管理サーバと、当該通信端末に関する情報等を登録する通信端末情報データベースとからなり、当該操作履歴に対応するコマンドが送信された場合に、管理サーバに当該通信端末情報データベースを参照して当該共有されている操作履歴を有する宛先通信端末に当該コマンドに対応する抽象化画像を表示して音楽を再生させる操作履歴を用いたコミュニケーションシステム及びコミュニケーション方法が開示されている。【０００５】
このような特許文献１に開示されている操作履歴を用いたコミュニケーションシステム及びコミュニケーション方法によれば、通信端末に対する操作履歴を共有しても差し支えない人間関係にある複数の人同士で操作履歴を伝え合うため、電話や電子メール等の具体的なコミュニケーション行為に発展しなくても相手のことを思う機会を増加させることができる。
【先行技術文献】
【特許文献】
【０００６】
【特許文献１】日本国特開２００５−３３３５３８号公報
【発明の概要】
【発明が解決しようとする課題】
【０００７】
しかしながら、特許文献１では、ユーザが想起したいと願う相手を操作履歴の共有先の通信端末として予め指定する必要があった。即ち、特許文献１では、ユーザが想起したいと願う相手の通信端末を共有先として予め指定する必要があるため、当該相手のことを頻繁に主体的に思い出す必要があり、例えば相当の年月日が経過して当該相手を忘れてしまった場合には、当該操作履歴の共有先として指定することが難しいという問題があった。【０００８】
本発明は、前述の従来の事情に鑑みてなされたもので、コンテンツを処理実行した相手との操作履歴情報を保持し、当該コンテンツの処理実行時に当該操作履歴情報に対応するライフログをユーザに確認的に提示することにより、当該相手を想起させてコミュニケーションの促進を図るコンテンツ処理実行装置、コンテンツ処理実行方法、及びプログラムを提供することを目的とする。
【課題を解決するための手段】
【０００９】
本発明は、前述したコンテンツ処理実行装置であって、コンテンツの操作日時と操作内容と操作相手とが関連付けられた操作履歴情報を記憶する操作履歴情報記憶部と、コンテンツの操作履歴情報の操作内容に対応するライフログを記憶するライフログ記憶部と、入力されたコンテンツの処理実行の指示に応じて、操作履歴情報記憶部から当該コンテンツに対応する操作履歴情報を取得するコンテンツ処理実行制御部と、コンテンツ処理実行制御部により取得された操作履歴情報に基づいて、ライフログ記憶部から当該操作履歴情報の操作内容に対応するライフログを取得するライフログ取得部と、ライフログ取得部により取得されたライフログを、コンテンツの処理実行の際に提示するように制御するライフログ提示制御部と、を備える。【００１０】
また、本発明は、前述したコンテンツ処理実行方法であって、コンテンツの処理実行の指示を入力するステップと、入力されたコンテンツの処理実行の指示に応じて、当該コンテンツの操作日時と操作内容と操作相手とが関連付けられた操作履歴情報を記憶する操作履歴情報記憶部から当該指示に対応するコンテンツの操作履歴情報を取得するステップと、取得された操作履歴情報に基づいて、コンテンツの操作履歴情報の操作内容に対応するライフログを記憶するライフログ記憶部から操作履歴情報の操作内容に対応するライフログを取得するステップと、取得されたライフログをコンテンツの処理実行の際に提示するように制御するステップと、を備える。【００１１】
また、本発明は、前述したプログラムであって、コンピュータであるコンテンツ処理実行装置に、コンテンツの処理実行の指示を入力するステップと、入力されたコンテンツの処理実行の指示に応じて、当該コンテンツの操作日時と操作内容と操作相手とが関連付けられた操作履歴情報を記憶する操作履歴情報記憶部から指示に対応するコンテンツの操作履歴情報を取得するステップと、取得された操作履歴情報に基づいて、コンテンツの操作履歴情報の操作内容に対応するライフログを記憶するライフログ記憶部から操作履歴情報の操作内容に対応するライフログを取得するステップと、取得されたライフログをコンテンツの処理実行の際に提示するように制御するステップと、を実現させる。【００１２】
前述した構成によれば、コンテンツを処理実行した相手との操作履歴情報を保持し、当該コンテンツの処理実行時に当該操作履歴情報に対応するライフログをユーザに確認的に提示することにより、当該相手を想起させてコミュニケーションの促進を図ることができる。
【発明の効果】
【００１３】
本発明に係るコンテンツ処理実行装置、コンテンツ処理実行方法、及びプログラムによれば、コンテンツを処理実行した相手との操作履歴情報を保持し、当該コンテンツの処理実行時に当該操作履歴情報に対応するライフログをユーザに確認的に提示することにより、当該相手を想起させてコミュニケーションの促進を図ることができる。
【図面の簡単な説明】
【００１４】
【図１】第１の実施形態の携帯電話機の内部構成を示すブロック図
【図２】操作履歴情報の内容を示した説明図
【図３】ライフログ管理テーブルの内容を示した説明図
【図４】第１の実施形態の携帯電話機の動作概要を示す説明図、（ａ）コンテンツの選曲の様子を示す説明図、（ｂ）表示されたキャプション及びライフログの一例を示す説明図
【図５】第１の実施形態の携帯電話機の動作を説明するフローチャート
【図６】第２の実施形態の携帯電話機の内部構成を示すブロック図
【図７】キャプションテンプレート管理テーブルの内容を示した説明図
【図８】第２の実施形態の携帯電話機の動作概要を示す説明図、（ａ）コンテンツの選曲の様子を示す説明図、（ｂ）表示されたキャプションの一例を示す説明図、（ｃ）表示されたライフログの一例を示す説明図
【図９】第２の実施形態の携帯電話機の動作を説明するフローチャート
【図１０】第３の実施形態の携帯電話機の内部構成を示すブロック図
【図１１】第３の実施形態の携帯電話機の動作概要を示す説明図
【図１２】第３の実施形態の携帯電話機の動作を説明するフローチャート
【図１３】第４の実施形態の携帯電話機の内部構成を示すブロック図
【図１４】第４の実施形態の携帯電話機の動作概要を示す説明図、（ａ）表示されたキャプションの一例を示す説明図、（ｂ）表示されたライフログの一例を示す説明図、（ｃ）連絡画面の一例を示す説明図、（ｄ）連絡画面の別の一例を示す説明図
【図１５】第４の実施形態の携帯電話機の動作概要を示す説明図、（ａ）表示されたキャプションの一例を示す説明図、（ｂ）表示されたライフログの一例を示す説明図、（ｃ）連絡画面の一例を示す説明図、（ｄ）連絡画面の別の一例を示す説明図
【図１６】第４の実施形態の携帯電話機の動作を説明するフローチャート
【図１７】従来の携帯電話機の表示部に各種のボタンが表示された画面の一例を示す説明図
【発明を実施するための形態】
【００１５】
以下、本発明の各実施形態について、図面を参照して説明する。以下の各実施形態においては、本発明のコンテンツ処理実行装置の一例として携帯電話機を例に挙げて説明する。但し、本発明のコンテンツ処理実行装置は、携帯電話機に限定されない。なお、本発明は、携帯電話機の様な装置、又は当該装置であるコンピュータを動作させるための「プログラム」として表現することも可能であり、更に、携帯電話機１０により実行されるステップを含む「方法」として表現することも可能である。即ち、本発明は、装置、方法及びプログラムのうちいずれのカテゴリーでも表現可能である。また、以下の説明において、コンテンツの処理実行とは、当該コンテンツを使用するための処理を実行する動作を意味し、例えば当該コンテンツが静止画データである場合には当該処理実行の内容は「表示」動作を意味し、当該コンテンツが動画データ又は音楽データである場合には当該処理実行の内容は「再生」動作を意味するものとする。
【００１６】
［第１の実施形態］
１．第１の実施形態における携帯電話機１０の構成
図１は、第１の実施形態の携帯電話機１０の内部構成を示すブロック図である。図１に示すように、携帯電話機１０は、提示部１１と、記憶部１３と、操作部１４と、操作履歴情報生成部１５と、コンテンツ処理実行制御部１６と、ライフログ取得部１７と、ライフログ提示制御部１８とを備える。携帯電話機１０の各部を説明する。
【００１７】
提示部１１は、携帯電話機１０のユーザにコンテンツ及びライフログを視覚的又は聴覚的に提示するものであり、主に表示部１１ａと、音声出力部１１ｂとにより構成される。表示部１１ａは、携帯電話機１０のＬＣＤ（Liquid Crystal Display）等のディスプレイで構成され、操作部１４により入力されたコンテンツの処理実行の指示に応じて、コンテンツ、又は、コンテンツ及びライフログを表示する。また、音声出力部１１ｂは、Ｄ／Ａ（Digital/Analog）コンバータ、増幅器及びスピーカ等で構成され、操作部１４により入力されたコンテンツの処理実行の指示に応じて、コンテンツ、又は、コンテンツ及びライフログを音声出力する。
【００１８】
記憶部１３は、携帯電話機１０に内蔵されるＲＯＭ、ＲＡＭ、ハードディスク、又はフラッシュメモリ等の記憶媒体で構成され、操作履歴情報記憶部１３ａと、コンテンツ記憶部１３ｂと、ユーザ情報記憶部１３ｃと、ライフログ記憶部１３ｄとを備える。記憶部１３の各部を説明する。
【００１９】
図２を参照して操作履歴情報記憶部１３ａを説明する。図２は、操作履歴情報記憶部１３ａに記憶されている操作履歴情報ＨＪの内容を示す説明図である。図２に示すように、操作履歴情報記憶部１３ａには、コンテンツの識別子であるコンテンツＩＤに対して、ユーザにより操作されたコンテンツの操作日時と、当該操作の操作内容と、当該コンテンツの操作相手とがそれぞれ関連付けられた操作履歴情報ＨＪがテーブル形式で記憶されている。
【００２０】
例えば、コンテンツＩＤが「００１」の操作履歴情報ＨＪには、操作日時「２０１０年１月２０日」と、操作内容「添付ファイル有りの状態でメール送信したこと」と、当該メール送信の相手である操作相手「ユーザＩＤ（＝Ｕ００３）」とがそれぞれ関連付けされている。なお、ユーザＩＤの「Ｕ００３」は、後述するユーザ情報記憶部１３ｃにおけるユーザの識別子である。ユーザＩＤの「Ｕ００３」については、以下同様である。
【００２１】
また、例えば、コンテンツＩＤが「００２」の操作履歴情報ＨＪには、操作日時「２０１０年４月２５日」と、操作内容「添付ファイル有りの状態でメール受信したこと」と、当該メール受信の相手である操作相手「メールアドレス（＝ｘｙｚ＠１２３．ｃｏ．ｊｐ）」がそれぞれ関連付けされている。なお、操作相手の情報がユーザＩＤでなくメールアドレスである場合とは、例えば、当該メールアドレスに対応するユーザ情報が後述するユーザ情報記憶部１３ｃに記憶されていない等が該当する。
【００２２】
また、例えば、コンテンツＩＤが「００３」の操作履歴情報ＨＪには、操作日時「２００９年１２月１５日」と、操作内容「着信音を設定したこと」と、当該着信音の設定対象である操作相手「ユーザＩＤ（＝Ｕ００９）」とがそれぞれ関連付けされている。なお、ユーザＩＤの「Ｕ００９」は、後述するユーザ情報記憶部１３ｃにおけるユーザの識別子である。ユーザＩＤの「Ｕ００９」については、以下同様である。
【００２３】
また、例えば、コンテンツＩＤが「００４」の操作履歴情報ＨＪには、操作日時「２０１０年５月５日」と、操作内容「赤外線通信したこと」と、当該赤外線通信の相手である操作相手「ユーザＩＤ（＝Ｕ００６）」とがそれぞれ関連付けされている。なお、ユーザＩＤの「Ｕ００３」は、後述するユーザ情報記憶部１３ｃにおけるユーザの識別子である。ユーザＩＤの「Ｕ００６」については、以下同様である。
【００２４】
コンテンツ記憶部１３ｂには、操作部１４により出力された処理実行の指示の対象であるコンテンツが記憶されている。ユーザ情報記憶部１３ｃには、操作履歴情報ＨＪの操作相手のユーザ情報が記憶されている。このユーザ情報は、例えば当該操作相手の氏名、メールアドレス、電話番号、住所、及びサムネイル形式の顔写真、ｗｅｂサービスのアカウント情報等が全て関連付けられた電話帳データ等で構成されている。
【００２５】
図３を参照してライフログ記憶部１３ｄを説明する。図３は、ライフログ記憶部１３ｄに記憶されているライフログ管理情報ＬＴの内容を示す説明図である。図３に示すように、ライフログ記憶部１３ｄには、コンテンツの操作内容に対して、当該コンテンツの操作日時と、当該コンテンツの操作相手と、当該コンテンツの操作内容の実行によるライフログの識別子であるライフログＩＤと、当該ライフログの記憶場所であるライフログファイルパスとが関連付けられたライフログ管理情報ＬＴがテーブル形式で記憶されている。また、ライフログ記憶部１３ｄには、当該ライフログファイルパスによって示される記憶場所に、当該ライフログＩＤに対応するライフログが記憶されている。
【００２６】
例えば、コンテンツの操作内容「添付ファイル有りの状態でメール送信したこと」のライフログ管理情報ＬＴには、操作日時「２０１０年１月２０日」と、当該メール送信の相手である操作相手「ユーザＩＤ（＝Ｕ００３）」と、当該操作日時に当該操作相手に添付ファイル有りの状態でメール送信したというライフログのライフログＩＤ「０１００」と、当該ライフログのライフログファイルパス「ａａａ／ｂｂｂ／ｃｃｃ」とがそれぞれ関連付けされている。
【００２７】
また、例えば、コンテンツの操作内容「添付ファイル有りの状態でメール受信したこと」のライフログ管理情報ＬＴには、操作日時「２０１０年４月２５日」と、当該メール受信の相手である操作相手「メールアドレス（＝ｘｙｚ＠１２３．ｃｏ．ｊｐ）」と、当該操作日時に当該操作相手から添付ファイル有りの状態でメール受信したというライフログのライフログＩＤ「０１０１」と、当該ライフログのライフログファイルパス「ｂｂｂ／ｃｃｃ／ｄｄｄ」とがそれぞれ関連付けされている。
【００２８】
また、例えば、コンテンツの操作内容「着信音を設定したこと」のライフログ管理情報ＬＴには、操作日時「２００９年１２月１５日」と、当該着信音の設定対象である操作相手「ユーザＩＤ（＝Ｕ００９）」と、当該操作日時に当該操作対象人物に着信音を設定したというライフログのライフログＩＤ「０１０２」と、当該ライフログのライフログファイルパス「ｃｃｃ／ｄｄｄ／ｅｅｅ」とがそれぞれ関連付けされている。
【００２９】
また、例えば、コンテンツの操作内容「赤外線通信したこと」のライフログ管理情報ＬＴには、操作日時「２０１０年５月５日」と、当該赤外線通信の通信相手である操作相手「ユーザＩＤ（＝Ｕ００６）」と、当該操作日時に当該操作対象人物に赤外線通信したというライフログのライフログＩＤ「０１０３」と、当該ライフログのライフログファイルパス「ｗｗｗ．１２３．ｘｘｘ．ｊｐ／０１」とがそれぞれ関連付けされている。
【００３０】
また、記憶部１３は、操作部１４、操作履歴情報生成部１５、コンテンツ処理実行制御部１６、ライフログ取得部１７及びライフログ提示制御部１８の動作が予め規定されたプログラムをそれぞれ記憶している。また、記憶部１３は、操作部１４、操作履歴情報生成部１５、コンテンツ処理実行制御部１６、ライフログ取得部１７及びライフログ提示制御部１８の動作における各々のワークメモリとしても動作する。
【００３１】
なお、操作部１４、操作履歴情報生成部１５、コンテンツ処理実行制御部１６、ライフログ取得部１７及びライフログ提示制御部１８は、ハードウェア又はソフトウェアで構成することが可能である。特に、これらの各部がソフトウェアにより構成される際には、当該操作部１４、操作履歴情報生成部１５、コンテンツ処理実行制御部１６、ライフログ取得部１７及びライフログ提示制御部１８の動作が予め規定されたプログラムが携帯電話機１０に内蔵されているＣＰＵより読み込まれ、操作部１４、操作履歴情報生成部１５、コンテンツ処理実行制御部１６、ライフログ取得部１７及びライフログ提示制御部１８がそれぞれ動作可能となる。
【００３２】
操作部１４は、携帯電話機１０で使用可能な各アプリケーションに応じて機能的に割り当てられた各種の機能ボタン、方向キー、テンキー、若しくは表示部１１ａの上に配置されたタッチパネル等のハードウェア、又は、表示部１１ａに当該機能ボタン、方向キー、テンキー等の機能を有するソフトウェアキーボードが仮想的に表示されたソフトウェアで構成される。操作部１４は、前述したハードウェア又はソフトウェアに対してユーザにより入力されたコンテンツの処理実行の指示を検出し、当該検出されたコンテンツの処理実行の指示に対応する操作信号をコンテンツ処理実行制御部１６に出力する。この操作信号には、当該コンテンツの識別子であるコンテンツＩＤが含まれている。
【００３３】
操作履歴情報生成部１５は、携帯電話機１０に内蔵されるＣＰＵ、ＤＳＰ、ＲＯＭ、ＲＡＭ等で構成され、操作部１４により出力された操作信号に含まれるコンテンツＩＤに対応するコンテンツがコンテンツ処理実行制御部１６により処理実行された場合に、当該処理実行が完了した旨の情報をコンテンツ処理実行制御部１６より取得する。操作履歴情報生成部１５は、コンテンツ処理実行制御部１６により取得した情報に基づいて、当該コンテンツの操作履歴情報ＨＪを生成し、当該生成された操作履歴情報ＨＪを操作履歴情報記憶部１３ａに記憶する。
【００３４】
コンテンツ処理実行制御部１６は、携帯電話機１０に内蔵されるＣＰＵ、ＤＳＰ、ＲＯＭ、ＲＡＭ等で構成され、操作部１４により出力された操作信号を取得する。コンテンツ処理実行制御部１６は、当該取得された操作信号に含まれるコンテンツＩＤを取得すると共に、当該取得されたコンテンツＩＤに基づいてコンテンツ記憶部１３ｂを検索する。コンテンツ処理実行制御部１６は、当該検索の結果当該コンテンツＩＤに対応するコンテンツがある場合に、当該コンテンツＩＤに対応するコンテンツをコンテンツ記憶部１３ｂから取得して当該取得されたコンテンツを提示部１１に提示するように制御する。即ち、コンテンツ処理実行制御部１６は、コンテンツ記憶部１３ｂから取得したコンテンツを表示部１１ａに表示させるように制御し、又は、当該取得したコンテンツを音声出力部１１ｂに音声出力させるように制御する。
【００３５】
また、コンテンツ処理実行制御部１６は、当該取得されたコンテンツＩＤに基づいて操作履歴情報記憶部１３ａを検索し、当該コンテンツＩＤに対応する操作履歴情報ＨＪを取得する。なお、第１の実施形態及び第２の実施形態においては、この取得される操作履歴情報ＨＪは単一であるとする。後述するように、第３及び第４の実施形態では、複数の操作履歴情報ＨＪが取得されるものとする。コンテンツ処理実行制御部１６は、当該取得された単一の操作履歴情報ＨＪの操作内容及び操作相手の各情報をライフログ取得部１７に出力する。
【００３６】
ライフログ取得部１７は、携帯電話機１０に内蔵されるＣＰＵ、ＤＳＰ、ＲＯＭ、ＲＡＭ等で構成され、コンテンツ処理実行制御部１６により出力された操作履歴情報ＨＪの操作内容及び操作相手の各情報を取得する。ライフログ取得部１７は、当該取得された操作相手の情報に基づいてユーザ情報記憶部１３ｃを検索し、当該操作相手のユーザ情報を取得する。ライフログ取得部１７は、当該取得されたユーザ情報をライフログ提示制御部１８に出力する。
【００３７】
なお、当該操作相手のユーザ情報がユーザ情報記憶部１３ｃに記憶されていない場合には、ライフログ取得部１７は、ユーザ情報記憶部１３ｃに予め記憶されているダミーデータを当該ユーザ情報として、当該ダミーデータをライフログ提示制御部１８に出力する。ダミーデータは、例えば、当該ユーザ情報がユーザ情報記憶部１３ｃに記憶されていないことを示すものとして、例えばバッテンマークのテキスト情報又は当該バッテンマークの画像等が該当する。また、当該操作相手のユーザ情報がユーザ情報記憶部１３ｃに記憶されていない場合には、ライフログ取得部１７は、ライフログ記憶部１３ｄに記憶されているライフログに直接含まれている当該操作相手を示唆する情報を当該ユーザ情報として、当該情報をライフログ提示制御部１８に出力しても良い。ここで、ライフログに直接含まれている当該操作相手を示唆する情報は、例えばライフログがメールである場合に、当該メールの送信相手又は受信相手のメールアドレスが該当する。
【００３８】
また、ライフログ取得部１７は、当該取得された操作内容の情報に基づいてライフログ記憶部１３ｄを検索し、当該操作内容の情報を含むライフログ管理情報ＬＴの操作日時、ライフログファイルパス、及び当該ライフログファイルパスによって示される記憶場所に記憶されているライフログを取得する。なお、ライフログファイルパスは、ライフログ記憶部１３ｄの内部の記憶場所を示すパスでも良く、又は、図３に示した「ｗｗｗ．１２３．ｘｘｘ．ｃｏ．ｊｐ／０１」の様な外部のサーバ装置における記憶場所を示すＵＲＬ（Uniform Resource Locator）でも良い。また、ライフログファイルパスは、ｗｅｂサービスへの問い合わせ先を示すＵＲＬでも良い。この場合、当該ｗｅｂサービスのアカウント情報をユーザ情報記憶部１３ｃから取得し、前記ＵＲＬに対応する記憶場所から当該ｗｅｂサービスのアカウント情報に対するライフログを取得する。ライフログ取得部１７は、当該取得された操作日時の情報、及び当該操作内容に対応するライフログをライフログ提示制御部１８に出力する。
【００３９】
また、ライフログ取得部１７は、当該取得された操作相手の情報に基づいてライフログ記憶部１３ｄを検索し、当該操作相手の情報を含むライフログ管理情報ＬＴの操作日時、ライフログファイルパス、及び当該ライフログファイルパスによって示される記憶場所に記憶されているライフログを取得しても良い。ライフログ取得部１７は、当該取得された操作日時の情報、及び当該操作相手に対応するライフログをライフログ提示制御部１８に出力する。以下の実施形態においても同様である。
【００４０】
ライフログ提示制御部１８は、携帯電話機１０に内蔵されるＣＰＵ、ＤＳＰ、ＲＯＭ、ＲＡＭ等で構成され、ライフログ取得部１７により出力された操作日時の情報、ユーザ情報及び当該操作内容に対応するライフログを取得する。ライフログ提示制御部１８は、コンテンツ処理実行制御部１６がコンテンツ記憶部１３ｂから取得したコンテンツを処理実行している間に、当該取得された操作日時の情報、ユーザ情報及び当該操作内容に対応するライフログを提示部１１に提示するように制御する。
【００４１】
即ち、ライフログ提示制御部１８は、コンテンツ処理実行制御部１６がコンテンツ記憶部１３ｂから取得したコンテンツを処理実行している間に、ライフログ取得部１７から取得した操作日時の情報、ユーザ情報及び当該操作内容に対応するライフログを表示部１１ａに表示させるように制御する。又は、ライフログ提示制御部１８は、コンテンツ処理実行制御部１６がコンテンツ記憶部１３ｂから取得したコンテンツを処理実行している間に、ライフログ取得部１７から取得した操作日時の情報、ユーザ情報及び当該操作内容に対応するライフログを音声出力部１１ｂに音声出力させるように制御する。なお、操作日時の情報、ユーザ情報及び当該操作内容に対応するライフログが表示部１１ａに表示される際には、当該表示部１１ａの表示領域（図４（ｂ）参照）は、ライフログ提示制御部１８の動作において予め規定されていることが好ましい。例えば、後述する図４（ｂ）に示すように、ライフログ提示制御部１８は、ライフログ取得部１７から取得した操作日時の情報、ユーザ情報及び当該操作内容に対応するライフログをライフログ表示領域ＬＲに表示する。
【００４２】
また、ライフログ提示制御部１８は、ライフログ取得部１７により出力された操作日時の情報、ユーザ情報、及び当該操作内容に対応するライフログ若しくは当該操作相手に対応するライフログを取得しても良い。この場合、ライフログ提示制御部１８は、コンテンツ処理実行制御部１６がコンテンツ記憶部１３ｂから取得したコンテンツを処理実行している間に、当該取得された操作日時の情報、ユーザ情報、及び当該操作内容に対応するライフログを提示部１１に提示するように制御した後、当該取得された操作日時の情報、ユーザ情報及び当該操作相手に対応するライフログを提示部１１に提示するように制御する。これにより、ユーザには操作内容に対応するライフログ及び操作相手に対応するライフログの両方が提示されるため、携帯電話機１０は、当該操作内容に対応するライフログだけを提示部１１に提示するよりも、ユーザに対して操作相手のことを高確率に想起させることができる。
【００４３】
即ち、ライフログ提示制御部１８は、コンテンツ処理実行制御部１６がコンテンツ記憶部１３ｂから取得したコンテンツを処理実行している間に、ライフログ取得部１７から取得した操作日時の情報、ユーザ情報及び当該操作内容に対応するライフログを所定時間の間、表示部１１ａに表示させる。その後継続して、ライフログ提示制御部１８は、ライフログ取得部１７から取得した操作日時の情報、ユーザ情報及び当該操作相手に対応するライフログを同様の所定時間の間、表示部１１ａに表示させるように制御する。なお、この操作内容に対応するライフログ又は操作相手に対応するライフログが複数ある場合には、ライフログ提示制御部１８は、当該複数あるライフログを前述した所定時間ごとに、表示部１１ａに順番に表示させるように制御する。以下の実施形態においても同様である。
【００４４】
又は、ライフログ提示制御部１８は、コンテンツ処理実行制御部１６がコンテンツ記憶部１３ｂから取得したコンテンツを処理実行している間に、ライフログ取得部１７から取得した操作日時の情報、ユーザ情報及び当該操作内容に対応するライフログを音声出力部１１ｂに音声出力させるように制御する。または、既存の無音区間検出の機構を使い、無音区間中に音声出力させるようにしてもよい。その後継続して、ライフログ提示制御部１８は、ライフログ取得部１７から取得した操作日時の情報、ユーザ情報及び当該操作相手に対応するライフログを同様の所定時間の間、音声出力部１１ｂに音声出力させるように制御する。なお、この操作内容に対応するライフログ又は操作相手に対応するライフログが複数ある場合には、ライフログ提示制御部１８は、当該複数あるライフログを前述した所定時間ごとに、音声出力部１１ｂに順番に音声出力させるように制御する。以下の実施形態においても同様である。
【００４５】
また、前述したライフログが表示部１１ａに表示される所定時間又は音声出力部１１ｂに音声出力される所定時間は、ライフログ提示制御部１８の動作において予め規定されていても良い。特に、コンテンツが音楽データ又は動画データである場合には、ライフログ提示制御部１８は、コンテンツ処理実行制御部１６から当該コンテンツの再生時間の情報を取得し、当該再生時間の情報に対して相当に短い時間間隔（例えば５［秒］等）の間、ライフログを表示部１１ａに表示したり、音声出力部１１ｂに音声出力したりする。又は、コンテンツが音楽データ又は動画データである場合には、ライフログ提示制御部１８は、コンテンツ処理実行制御部１６から当該コンテンツの再生時間の情報を取得し、当該再生時間の情報の例えば１／１０に相当する時間間隔の間、ライフログを表示部１１ａに表示したり、音声出力部１１ｂに音声出力したりする。例えばコンテンツの再生時間が３［分］である場合には、単一のライフログの表示時間又は音声出力時間は、当該コンテンツの再生時間の１／１０である１８［秒］である。更に、複数のライフログが表示又は音声出力される場合には、ライフログ提示制御部１８により、各ライフログは１８［秒］ごとに表示又は音声出力が切り替えられることが好ましい。以下の実施形態においても同様である。
【００４６】
なお、操作日時の情報、ユーザ情報及び当該操作内容に対応するライフログが表示部１１ａに表示される際には、当該表示部１１ａの表示領域（図４（ｂ）参照）は、ライフログ提示制御部１８の動作において予め規定されていることが好ましい。同様に、操作日時の情報、ユーザ情報及び当該操作相手に対応するライフログが表示部１１ａに表示される際には、当該表示部１１ａの表示領域（図４（ｂ）参照）は、ライフログ提示制御部１８の動作において予め規定されていることが好ましい。例えば、後述する図４（ｂ）に示すように、ライフログ提示制御部１８は、ライフログ取得部１７から取得した操作日時の情報、ユーザ情報及び当該操作内容に対応するライフログをライフログ表示領域ＬＲに表示する。以下の実施形態においても同様である。
【００４７】
また、ライフログ提示制御部１８は、ライフログ取得部１７から操作日時の情報、ユーザ情報及び当該操作内容に対応するライフログ若しくは当該操作相手に対応するライフログを提示部１１に提示する際に、当該操作日時の情報若しくはユーザ情報、又は操作日時の情報及びユーザ情報を含むライフログの簡単な説明を提示部１１に対して提示することが好ましい。例えば、後述する図４（ｂ）に示すように、ライフログ提示制御部１８は、当該ライフログの説明文章として「以下は、２０１０年１月２０日におけるＸＸＸさんとのライフログです。」をライフログ表示領域ＬＲに表示する。これにより、ユーザは、ライフログの簡単な説明が提示されるため、ライフログの内容をより高確率に想起することができる。以下の説明において、操作日時の情報若しくはユーザ情報、又は操作日時の情報及びユーザ情報を用いたライフログの説明内容を「キャプション」と称する。第１の実施形態においては、キャプションのうち操作日時の情報、ユーザ情報が欠如した状態のキャプションのテンプレートデータは、ライフログ提示制御部１８の動作において予め規定されているものとする。
【００４８】
２．第１の実施形態の携帯電話機１０の動作の説明
図４及び図５を参照して第１の実施形態の携帯電話機１０の動作を説明する。図４は、第１の実施形態の携帯電話機１０の動作概要を示す説明図である。同図（ａ）は、コンテンツが音楽データである場合に当該コンテンツを選択する様子を示す説明図である。また、同図（ｂ）は、当該コンテンツの再生中に表示部１１ａに表示されたキャプション及びライフログの一例を示す説明図である。図５は、第１の実施形態のコンテンツ処理実行装置である携帯電話機１０の動作を説明するフローチャートである。以下、図４及び図５において、コンテンツを音楽データであるとして、コンテンツ処理実行制御部１６により取得された操作履歴情報ＨＪは、図２に示したコンテンツＩＤ「００１」に対する操作履歴情報ＨＪであるとして説明する。
【００４９】
図５において、コンテンツ処理実行制御部１６は、図４（ａ）に示すように、ユーザが操作部１４を操作して表示部１１ａに表示された５つの音楽データのコンテンツ「ｔｒａｃｋ０００」、「ｔｒａｃｋ００１」、「ｔｒａｃｋ００２」、「ｔｒａｃｋ００３」及び「ｔｒａｃｋ００４」のうちいずれかのコンテンツを選択して再生ボタンを押下したという操作が行われたか否かを判定する（Ｓ１１）。なお、前述したように、当該操作が行われた場合には、操作部１４は当該コンテンツのコンテンツＩＤを含み当該操作が行われた旨の操作信号をコンテンツ処理実行制御部１６に出力する。また、コンテンツ「ｔｒａｃｋ０００」、「ｔｒａｃｋ００１」、「ｔｒａｃｋ００２」、「ｔｒａｃｋ００３」及び「ｔｒａｃｋ００４」の各コンテンツＩＤは「００１」、「００２」、「００３」、「００４」及び「００５」とする。
【００５０】
ステップＳ１１において当該操作が行われたと判定された場合（Ｓ１１、ＹＥＳ）、コンテンツ処理実行制御部１６は、操作部１４により出力された操作信号から当該操作されたコンテンツのコンテンツＩＤを取得する（Ｓ１２）。コンテンツ処理実行制御部１６は、ステップＳ１２により取得されたコンテンツＩＤに基づいてコンテンツ記憶部１３ｂを検索して当該コンテンツＩＤに対応するコンテンツを取得する（Ｓ１３）。
【００５１】
また、コンテンツ処理実行制御部１６は、ステップＳ１２により取得されたコンテンツＩＤに基づいて操作履歴情報記憶部１３ａを検索し、当該コンテンツＩＤに対応する操作履歴情報ＨＪが操作履歴情報記憶部１３ａに記憶されているか否かを判定する（Ｓ１４）。
【００５２】
ステップＳ１４において当該操作履歴情報ＨＪが操作履歴情報記憶部１３ａに記憶されていないと判定された場合には（Ｓ１４、ＮＯ）、コンテンツ処理実行制御部１６は、ステップＳ１３により取得されたコンテンツを提示部１１に提示するように制御し（Ｓ１５）、図５のフローチャートは終了する。即ち、ステップＳ１５においては、コンテンツ処理実行制御部１６は、ステップＳ１３により取得されたコンテンツが音楽データである場合には、当該音楽データであるコンテンツを再生して音声出力部１１ｂに音声出力させるように制御する。なお、図９の説明においてコンテンツは音楽データであるとの前提としているが、ステップＳ１５においては、コンテンツ処理実行制御部１６は、ステップＳ１３により取得されたコンテンツが静止画データである場合には、当該静止画データであるコンテンツを表示部１１ａに表示するように制御する。
【００５３】
ステップＳ１４において当該操作履歴情報ＨＪが操作履歴情報記憶部１３ａに記憶されていると判定された場合には（Ｓ１４、ＹＥＳ）、コンテンツ処理実行制御部１６は、当該取得された操作履歴情報ＨＪの操作内容及び操作相手の各情報をライフログ取得部１７に出力する。ライフログ取得部１７は、コンテンツ処理実行制御部１６により出力された操作相手の情報に基づいてユーザ情報記憶部１３ｃを検索し、当該操作相手のユーザ情報がユーザ情報記憶部１３ｃに記憶されているか否かを判定する（Ｓ１６）。
【００５４】
ステップＳ１６において当該操作相手のユーザ情報がユーザ情報記憶部１３ｃに記憶されていると判定された場合には（Ｓ１６、ＹＥＳ）、ライフログ取得部１７は、当該ユーザ情報をユーザ情報記憶部１３ｃから取得し、当該取得されたユーザ情報をライフログ提示制御部１８に出力し、ステップＳ１７の動作に進む。
【００５５】
ステップＳ１６において当該操作相手のユーザ情報がユーザ情報記憶部１３ｃに記憶されていないと判定された場合には（Ｓ１６、ＮＯ）、ライフログ取得部１７は、ユーザ情報記憶部１３ｃに予め記憶されているダミーデータを当該ユーザ情報として取得し（Ｓ１８）、当該ダミーデータをライフログ提示制御部１８に出力し、ステップＳ１７の動作に進む。
【００５６】
ステップＳ１７において、ライフログ取得部１７は、コンテンツ処理実行制御部１６により出力された操作内容の情報に基づいてライフログ記憶部１３ｄを検索し、当該操作内容の情報を含むライフログ管理情報ＬＴがライフログ記憶部１３ｄに記憶されているか否かを判定する（Ｓ１７）。
【００５７】
ステップＳ１７において当該ライフログ管理情報ＬＴがライフログ記憶部１３ｄに記憶されていると判定された場合には（Ｓ１７、ＹＥＳ）、ライフログ取得部１７は、当該操作内容の情報を含むライフログ管理情報ＬＴの操作日時、ライフログファイルパス、及び当該ライフログファイルパスによって示される記憶場所に記憶されているライフログを取得する。また、ライフログ取得部１７は、当該取得された操作日時及びライフログをライフログ提示制御部１８に出力する。その後、ステップＳ１９の動作に進む。
【００５８】
ステップＳ１７において当該ライフログ管理情報ＬＴがライフログ記憶部１３ｄに記憶されていないと判定された場合には（Ｓ１７、ＮＯ）、ライフログの提示は最終的にユーザに対して行われないため、ライフログ取得部１７は、当該ライフログがライフログ記憶部１３ｄに記憶されていない旨の情報をコンテンツ処理実行制御部１６に出力する。コンテンツ処理実行制御部１６は、ライフログ取得部１７により取得された情報に基づいて、ステップＳ１６の動作と同ように、ステップＳ１３により取得されたコンテンツに応じて、当該コンテンツを提示部１１に提示するように制御し、図５のフローチャートは終了する。
【００５９】
ステップＳ１９では、ライフログ提示制御部１８は、ライフログ取得部１７により出力された操作日時の情報、ユーザ情報及びライフログを取得する。ライフログ提示制御部１８は、コンテンツ処理実行制御部１６がコンテンツ記憶部１３ｂから取得したコンテンツを処理実行している間に、当該取得された操作日時の情報、ユーザ情報及びライフログを提示部１１に提示するように制御する（Ｓ１９）。特にコンテンツが音楽データ又は動画データである場合には、ライフログ提示制御部１８は、コンテンツ処理実行制御部１６から当該コンテンツの再生時間の情報を取得し、例えば当該コンテンツが再生開始されてから所定時間経過後にライフログを提示部１１に提示するように制御することが好ましい。このコンテンツが再生されてからライフログが提示されるまでの所定時間は、ライフログ提示制御部１８の動作において予め規定されていることが好ましい。
【００６０】
例えば、ライフログ提示制御部１８は、図４（ｂ）に示すように、コンテンツ処理実行制御部１６がコンテンツ記憶部１３ｂから取得したコンテンツ「ｔｒａｃｋ０００」を処理実行（再生）している間に、ライフログ取得部１７から取得した操作日時の情報、ユーザ情報及びライフログを表示部１１ａに表示させるように制御する。図４（ｂ）に示す表示部１１ａのライフログ表示領域ＬＲには、図４（ａ）にて選択されたコンテンツＩＤ「００１」である「ｔｒａｃｋ０００」の操作履歴情報ＨＪに基づく操作日時の情報及びユーザ情報、簡単なキャプション並びにライフログが表示される。
【００６１】
より具体的には、ライフログ提示制御部１８は、ライフログ取得部１７から取得した操作日時の情報及びユーザ情報（ＸＸＸさん）に基づいて、ライフログのキャプション「以下は、２０１０年１月２０日におけるＸＸＸさんとのライフログです。」と、当該操作相手（ＸＸＸさん）へ送信したメール本文であるライフログ「元気ですか？こちらではなんとか元気にやっていますよ・・・・・・」と、を表示部１１ａのライフログ表示領域ＬＲに表示する。また、前述したように、当該操作相手であるＸＸＸさんのユーザ情報がユーザ情報記憶部１３ｃに記憶されていない場合には、ライフログ取得部１７はライフログ記憶部１３ｄから当該ライフログに直接含まれるメールの送信相手のメールアドレスを、ライフログ取得部１７から取得したユーザ情報としてライフログ提示制御部１８に出力しても良い。この場合には、ライフログ提示制御部１８は、ライフログのキャプション「以下は、２０１０年１月２０における”メールアドレス：ｘｙｚ＠１２３．ｃｏ．ｊｐ ”さんとのライフログです」を、表示部１１ａのライフログ表示領域ＬＲに表示する。
【００６２】
以上により、第１の実施形態の携帯電話機１０は、コンテンツを処理実行した操作相手との操作履歴情報ＨＪを保持し、当該コンテンツの処理実行中に当該操作履歴情報ＨＪに対応するライフログ、又は当該ライフログのキャプション及びライフログをユーザに確認的に提示することにより、当該ユーザに当該相手を想起させてコミュニケーションの促進を図ることができる。
【００６３】
また、仮に当該操作相手のユーザ情報が記憶されていない場合であっても、携帯電話機１０は、ユーザ情報記憶部１３ｃに予め記憶されているダミーデータをユーザ情報として、ライフログを提示部１１（表示部１１ａ、音声出力部１１ｂ）により提示するため、当該ライフログ自体を提示しない場合に比べて当該ライフログの閲覧又は視聴を通してユーザに当該相手のことを想起させる可能性を相対的により向上させることができる。この様なダミーデータを使用することの効果は、以下の各実施形態においても同様である。
【００６４】
［第２の実施形態］
３．第２の実施形態の携帯電話機１０ｓの構成
図６は、第２の実施形態の携帯電話機１０ｓの内部構成を示すブロック図である。図６に示すように、携帯電話機１０ｓは、提示部１１と、記憶部１３と、操作部１４と、操作履歴情報生成部１５と、コンテンツ処理実行制御部１６と、ライフログ取得部１７ｓと、ライフログ提示制御部１８と、キャプション提示制御部１９とを備える。第２の実施形態の携帯電話機１０ｓは、第１の実施形態の携帯電話機１０に、キャプション提示制御部１９を更に備えたものであり、図１と同一部分には同一符号を付してその詳しい説明を省略し、ここでは異なる部分について主に述べる。
【００６５】
第１の実施形態では、キャプションのうち操作日時の情報、ユーザ情報が欠如した状態のキャプションのテンプレートデータは、ライフログ提示制御部１８の動作において予め規定されていた。第２の実施形態では、当該テンプレートデータは、操作履歴情報ＨＪの操作内容の情報に応じて定められ、テンプレート記憶部１３ｅに複数記憶されている。キャプション提示制御部１９は、当該テンプレート記憶部１３ｅからテンプレートデータを取得し、当該取得されたテンプレートデータに基づいてキャプションを生成し、当該生成されたキャプションを提示部１１に提示するように制御する。
【００６６】
記憶部１３ｓは、操作履歴情報記憶部１３ａと、コンテンツ記憶部１３ｂと、ユーザ情報記憶部１３ｃと、ライフログ記憶部１３ｄと、テンプレート記憶部１３ｅとを備える。操作履歴情報記憶部１３ａと、コンテンツ記憶部１３ｂと、ユーザ情報記憶部１３ｃと、ライフログ記憶部１３ｄとは第１の実施形態の記憶部１３が備えるものと同一であるため当該同一のものに関する説明は省略し、テンプレート記憶部１３ｅを説明する。
【００６７】
図７を参照してテンプレート記憶部１３ｅを説明する。図７は、テンプレート記憶部１３ｅに記憶されているテンプレート管理情報ＣＴの内容を説明する説明図である。図７に示すように、テンプレート記憶部１３ｅには、コンテンツの操作内容と、キャプションのテンプレートデータの記憶場所であるテンプレートファイルパスとが関連付けられたテンプレート管理情報ＣＴがテーブル形式で記憶されている。また、テンプレート記憶部１３ｅには、テンプレート管理情報ＣＴのテンプレートファイルパスによって示される記憶場所に当該テンプレートデータが記憶されている。
【００６８】
例えば、コンテンツの操作内容「添付ファイル有りの状態でメール送信したこと」のテンプレート管理情報ＣＴには、テンプレートファイルパス「ｋｋｋ／ｐｐｐ／ｍｍｍ」が関連付けされている。
【００６９】
また、例えば、コンテンツの操作内容「添付ファイル有りの状態でメール受信したこと」のテンプレート管理情報ＣＴには、テンプレートファイルパス「ｒｒｒ／ｓｓｓ／ｔｔｔ」が関連付けされている。
【００７０】
また、例えば、コンテンツの操作内容「着信音を設定したこと」のテンプレート管理情報ＣＴには、テンプレートファイルパス「ｑｑｑ／ｖｖｖ／ｚｚｚ」が関連付けされている。
【００７１】
また、例えば、コンテンツの操作内容「赤外線通信したこと」のテンプレート管理情報ＣＴには、テンプレートファイルパス「ｕｕｕ／ｗｗｗ／ｃｃｃ」が関連付けされている。
【００７２】
また、記憶部１３ｓは、操作部１４、操作履歴情報生成部１５、コンテンツ処理実行制御部１６、ライフログ取得部１７ｓ、ライフログ提示制御部１８及びキャプション提示制御部１９の動作が予め規定されたプログラムをそれぞれ記憶している。また、記憶部１３ｓは、操作部１４、操作履歴情報生成部１５、コンテンツ処理実行制御部１６、ライフログ取得部１７ｓ、ライフログ提示制御部１８及びキャプション提示制御部１９の動作における各々のワークメモリとしても動作する。
【００７３】
なお、操作部１４、操作履歴情報生成部１５、コンテンツ処理実行制御部１６、ライフログ取得部１７ｓ、ライフログ提示制御部１８及びキャプション提示制御部１９は、ハードウェア又はソフトウェアで構成することが可能である。特に、これらの各部がソフトウェアにより構成される際には、当該操作部１４、操作履歴情報生成部１５、コンテンツ処理実行制御部１６、ライフログ取得部１７ｓ、ライフログ提示制御部１８及びキャプション提示制御部１９の動作が予め規定されたプログラムが携帯電話機１０ｓに内蔵されているＣＰＵより読み込まれ、操作部１４、操作履歴情報生成部１５、コンテンツ処理実行制御部１６、ライフログ取得部１７ｓ、ライフログ提示制御部１８及びキャプション提示制御部１９がそれぞれ動作可能となる。
【００７４】
ライフログ取得部１７ｓは、操作日時及び操作内容の各情報、並びにユーザ情報をキャプション提示制御部１９に出力する。
【００７５】
キャプション提示制御部１９は、携帯電話機１０ｓに内蔵されるＣＰＵ、ＤＳＰ、ＲＯＭ、ＲＡＭ等で構成され、ライフログ取得部１７ｓにより出力された操作日時及び操作内容の各情報、並びにユーザ情報を取得する。キャプション提示制御部１９は、当該取得された操作内容の情報に基づいてテンプレート記憶部１３ｅを検索し、当該操作内容に対応するテンプレートファイルパスを取得する。キャプション提示制御部１９は、当該取得されたテンプレートファイルパスによって示される記憶場所から当該テンプレートデータを取得する。
【００７６】
また、キャプション提示制御部１９は、コンテンツ処理実行制御部１６がコンテンツ記憶部１３ｂから取得したコンテンツを処理実行し始めたとき、当該取得された操作日時及び操作内容の各情報、キャプションのテンプレートデータ並びにユーザ情報に基づいて、提示部１１に提示するためのキャプションを生成する。キャプション提示制御部１９は、当該生成されたキャプションを提示部１１に提示するように制御する。
【００７７】
即ち、キャプション提示制御部１９は、コンテンツ処理実行制御部１６がコンテンツ記憶部１３ｂから取得したコンテンツを処理実行し始めたとき、当該生成されたキャプションの内容を表示部１１ａに表示させるように制御する。又は、キャプション提示制御部１９は、コンテンツ処理実行制御部１６がコンテンツ記憶部１３ｂから取得したコンテンツを処理実行し始めたとき、当該生成されたキャプションの内容を音声出力部１１ｂに音声出力させるように制御する。なお、操作日時及び操作内容の各情報、テンプレートデータ並びにユーザ情報を含むキャプションの内容が表示部１１ａに表示される際には、当該表示部１１ａの表示領域（図８（ｂ）参照）は、キャプション提示制御部１９の動作において予め規定されていることが好ましい。例えば、後述する図８（ｂ）に示すように、キャプション提示制御部１９は、ライフログ取得部１７ｓから取得した操作日時及び操作内容の各情報、テンプレートデータ並びにユーザ情報を含むキャプションをキャプション表示領域ＣＲに表示する。
【００７８】
４．第２の実施形態の携帯電話機１０ｓの動作の説明
図８及び図９を参照して第２の実施形態の携帯電話機１０ｓの動作を説明する。図８は、第２の実施形態の携帯電話機１０ｓの動作概要を示す説明図である。同図（ａ）は、コンテンツが音楽データである場合に当該コンテンツを選択する様子を示す説明図である。また、同図（ｂ）は、当該コンテンツの再生開始時に表示部１１ａに表示されたキャプションの一例を示す説明図である。同図（ｃ）は、当該コンテンツの再生中に表示部１１ａに表示されたライフログの一例を示す説明図である。図９は、第２の実施形態の携帯電話機１０ｓの動作を説明するフローチャートである。以下、図８及び図９において、コンテンツを音楽データであるとして、コンテンツ処理実行制御部１６により取得された操作履歴情報ＨＪは、図２に示したコンテンツＩＤ「００１」に対する操作履歴情報ＨＪであるとして説明する。
【００７９】
図９において、ステップＳ２１からステップＳ２６及びステップＳ２８までの動作内容は、図５に示した第１の実施形態の携帯電話機１０の動作内容のステップＳ１１からステップＳ１６及びステップＳ１８までの動作内容と重複する。このため、当該ステップＳ２１からステップＳ２６及びステップＳ２８までの動作内容の説明は省略するが、当該ステップＳ２１からステップＳ２６及びステップＳ２８までの動作内容は、対応する第１の実施形態のステップＳ１１からステップＳ１６及びステップＳ１８までの動作内容と読み替えることにより実施可能な程度に説明可能である。
【００８０】
ライフログ取得部１７ｓは、コンテンツ処理実行制御部１６により出力された操作内容の情報に基づいてライフログ記憶部１３ｄを検索し、当該操作内容の情報を含むライフログ管理情報ＬＴがライフログ記憶部１３ｄに記憶されているか否かを判定する（Ｓ２７）。
【００８１】
ステップＳ２７において当該ライフログ管理情報ＬＴがライフログ記憶部１３ｄに記憶されていると判定された場合には（Ｓ２７、ＹＥＳ）、ライフログ取得部１７ｓは、当該操作内容の情報を含むライフログ管理情報ＬＴの操作日時、ライフログファイルパス、及び当該ライフログファイルパスによって示される記憶場所に記憶されているライフログを取得する。ライフログ取得部１７ｓは、当該取得された操作日時及びライフログをライフログ提示制御部１８に出力する。更に、ライフログ取得部１７ｓは、コンテンツ処理実行制御部１６により出力された操作内容の情報をキャプション提示制御部１９に出力する。その後、ステップＳ２９の動作に進む。
【００８２】
ステップＳ２７において当該ライフログ管理情報ＬＴがライフログ記憶部１３ｄに記憶されていないと判定された場合には（Ｓ２７、ＮＯ）、ライフログの提示は最終的にユーザに対して行われないため、ライフログ取得部１７ｓは、当該ライフログがライフログ記憶部１３ｄに記憶されていない旨の情報をコンテンツ処理実行制御部１６に出力する。コンテンツ処理実行制御部１６は、ライフログ取得部１７ｓにより取得された情報に基づいて、ステップＳ２６の動作と同ように、ステップ２３により取得されたコンテンツに応じて、当該コンテンツを提示部１１に提示するように制御し、図９のフローチャートは終了する。
【００８３】
ステップＳ２９では、キャプション提示制御部１９は、ライフログ取得部１７ｓにより出力された操作日時及び操作内容の各情報、並びにユーザ情報を取得する。キャプション提示制御部１９は、当該取得された操作内容の情報に基づいてテンプレート記憶部１３ｅを検索し、当該操作内容に対応するテンプレートファイルパスを取得する。キャプション提示制御部１９は、当該取得されたテンプレートファイルパスによって示される記憶場所から当該テンプレートデータを取得する（Ｓ２９）。
【００８４】
また、キャプション提示制御部１９は、当該取得された操作日時及び操作内容の各情報、テンプレートデータ並びにユーザ情報に基づいて、提示部１１に提示するためのキャプションを生成する（Ｓ３０）。キャプション提示制御部１９は、当該生成されたキャプションを提示部１１に提示するように制御する（Ｓ３１）。即ち、キャプション提示制御部１９は、当該生成されたキャプションの内容を表示部１１ａに表示させるように制御する。又は、キャプション提示制御部１９は、当該生成されたキャプションの内容を音声出力部１１ｂに音声出力させるように制御する。
【００８５】
例えば、キャプション提示制御部１９は、図８（ｂ）に示すように、コンテンツ処理実行制御部１６がコンテンツ記憶部１３ｂから取得したコンテンツ「ｔｒａｃｋ０００」を処理実行（再生）し始めたときに、ライフログ取得部１７ｓから取得した操作日時及び操作内容の各情報、キャプションのテンプレートデータ並びにユーザ情報に基づいて生成されたキャプションを表示部１１ａに表示させるように制御する。図８（ｂ）に示す表示部１１ａのキャプション表示領域ＣＲには、図８（ａ）にて選択されたコンテンツＩＤ「００１」である「ｔｒａｃｋ０００」の操作履歴情報ＨＪに基づく操作日時及び操作内容の各情報、テンプレートデータ並びにユーザ情報を含むキャプションが表示される。
【００８６】
より具体的には、キャプション提示制御部１９は、ライフログ取得部１７ｓより取得した操作日時及び操作内容の各情報、キャプションのテンプレートデータ並びにユーザ情報に基づいて「この曲をＸＸＸさんにメール送信しましたね。憶えていますか。２０１０年１月２０日のとても寒い日でした。」というキャプションをキャプション表示領域ＣＲに表示する。なお、キャプション提示制御部１９は、当該携帯電話機１０ｓとネットワークを介して接続されている外部のサーバ装置等から当該操作日時に関する天候情報又は事件情報等を取得して、当該天候情報又は事件情報等をキャプションの内容として含めてキャプションを生成しても良い。
【００８７】
ステップＳ３１によりキャプションが提示部１１により提示された後、ライフログ提示制御部１８は、ライフログ取得部１７ｓにより出力された操作日時の情報、ユーザ情報及びライフログを取得する。ライフログ提示制御部１８は、コンテンツ処理実行制御部１６がコンテンツ記憶部１３ｂから取得したコンテンツを処理実行している間に、当該取得された操作日時の情報、ユーザ情報及びライフログを提示部１１に提示するように制御する（Ｓ３２）。
【００８８】
例えば、ライフログ提示制御部１８は、図８（ｃ）に示すように、コンテンツ処理実行制御部１６がコンテンツ記憶部１３ｂから取得したコンテンツ「ｔｒａｃｋ０００」を処理実行（再生）している間に、ライフログ取得部１７ｓから取得した操作日時の情報、ユーザ情報及びライフログを表示部１１ａに表示させるように制御する。図８（ｃ）に示す表示部１１ａのライフログ表示領域ＬＲには、図８（ａ）にて選択されたコンテンツＩＤが「００１」である「ｔｒａｃｋ０００」の操作履歴情報ＨＪに基づく操作日時の情報及びユーザ情報、簡単なキャプション並びにライフログが表示される。
【００８９】
より具体的には、ライフログ提示制御部１８は、ライフログ取得部１７ｓより取得した操作日時の情報及びユーザ情報（ＸＸＸさん）に基づいて、ライフログのキャプション「以下は、２０１０年１月２０日におけるＸＸＸさんとのライフログです。」と、当該操作相手（ＸＸＸさん）へ送信したメール本文であるライフログ「元気ですか？こちらではなんとか元気にやっていますよ・・・・・・」と、を表示部１１ａのライフログ表示領域ＬＲに表示する。
【００９０】
以上により、第２の実施形態のコンテンツ処理実行装置である携帯電話機１０ｓは、コンテンツを処理実行した操作相手との操作履歴情報ＨＪを保持し、当該コンテンツの処理開始時に当該操作履歴情報ＨＪに応じて生成された当該コンテンツの説明内容であるキャプションをユーザに対して確認的に提示すると共に、当該コンテンツの処理実行中に当該操作履歴情報ＨＪに応じて生成されたライフログをユーザに対して確認的に提示する。これにより、当該携帯電話機１０ｓは、第１の実施形態のコンテンツ処理実行装置である携帯電話機１０に比べて、当該コンテンツの操作対象人物である相手のことを視覚的又は聴覚的により高頻度に想起させて、当該相手とのコミュニケーションの促進をより適度に図ることができる。
【００９１】
［第３の実施形態］
５．第３の実施形態の携帯電話機１０ｔの構成
図１０は、第３の実施形態の携帯電話機１０ｔの内部構成を示すブロック図である。図１０に示すように、携帯電話機１０ｔは、提示部１１と、記憶部１３と、操作部１４と、操作履歴情報生成部１５と、コンテンツ処理実行制御部１６ｔと、ライフログ取得部１７ｔと、ライフログ提示制御部１８と、キャプション提示制御部１９と、優先度情報更新部２０とを備える。第３の実施形態の携帯電話機１０ｔは、第２の実施形態の携帯電話機１０ｓに、優先度情報更新部２０を更に備えたものであり、図１又は図６と同一部分には同一符号を付してその詳しい説明を省略し、ここでは異なる部分について主に述べる。
【００９２】
第３の実施形態では、コンテンツ処理実行制御部１６ｔは、コンテンツＩＤに基づいて複数の操作履歴情報ＨＪが操作履歴情報記憶部１３ａに記憶されている場合に、当該複数の操作履歴情報ＨＪのうち優先して使用する単一の操作履歴情報ＨＪを選択する。当該選択された操作履歴情報ＨＪに応じてライフログ及びキャプションが提示部１１に提示される。
【００９３】
記憶部１３ｔは、操作履歴情報記憶部１３ａと、コンテンツ記憶部１３ｂと、ユーザ情報記憶部１３ｃと、ライフログ記憶部１３ｄと、テンプレート記憶部１３ｅと、優先度情報記憶部１３ｆとを備える。操作履歴情報記憶部１３ａと、コンテンツ記憶部１３ｂと、ユーザ情報記憶部１３ｃと、ライフログ記憶部１３ｄと、テンプレート記憶部１３ｅとは第２の実施形態の記憶部１３ｓが備えるものと同一であるため当該同一のものに関する説明は省略し、優先度情報記憶部１３ｆを説明する。
【００９４】
優先度情報記憶部１３ｆには、コンテンツ処理実行制御部１６ｔが操作部１４により出力された操作信号に含まれるコンテンツＩＤに基づいて操作履歴情報記憶部１３ａを検索した結果取得された複数の操作履歴情報ＨＪの中で優先的に使用する特定の操作履歴情報ＨＪを選択するための優先度情報が記憶されている。この優先度情報は、例えば、当該複数の操作履歴情報ＨＪの中でコンテンツの操作日付が最も古い操作履歴情報ＨＪを選択するという情報である。また、優先度情報は、コンテンツの操作内容ごとに選択される優先順位が定められた情報でも良い。例えば、この場合の優先度情報は、操作内容「添付ファイル有りでメール送信したこと」が最も優先順位が高く、操作内容「添付ファイル有りでメール受信したこと」が次に優先順位が高い等の情報であり、当該最も優先順位が高い操作内容を含む操作履歴情報ＨＪが操作履歴情報記憶部１３ａから取得された場合には、コンテンツ処理実行制御部１６ｔは、当該優先度情報に基づいて当該最も優先順位が高い操作内容を含む特定の操作履歴情報ＨＪを選択する。また、当該最も優先順位が高い操作内容を含む操作履歴情報ＨＪが複数選択された場合には、当該複数の操作履歴情報ＨＪの各操作日付が最も古い操作履歴情報ＨＪを選択するという優先度情報であっても良い。
【００９５】
また、優先度情報記憶部１３ｆには、ユーザが操作部１４を操作することにより、図１１のライフログ表示領域ＬＲに表示されたスキップボタンＳＫが押下された場合に、当該押下された時点において表示されていたライフログをライフログ取得部１７ｔが次回以降のライフログ記憶部１３ｄからの取得対象から除外するための取得除外情報が記憶されている。図１１は、第３の実施形態の携帯電話機１０ｔの動作概要を示す説明図であり、ライフログと共にスキップボタンＳＫがライフログ表示領域ＬＲに表示されている。このスキップボタンＳＫは、コンテンツ処理実行制御部１６ｔ又はライフログ提示制御部１８の動作において表示されるように規定され、特にライフログ提示制御部１８がライフログを表示部１１ａに表示する際にスキップボタンＳＫを併せて表示することが好ましい。この取得除外情報には、例えば当該取得除外対象のライフログの識別子であるライフログＩＤが含まれる。このため、スキップボタンＳＫが押下された場合には、優先度情報更新部２０が当該押下されたことの操作信号を操作部１４から取得すると共に、当該スキップボタンＳＫの押下に応じて当該表示されていたライフログのライフログＩＤを取得除外情報に含めるように記憶する。
【００９６】
また、この取得除外情報には、更に、ユーザが不快に思うキーワード等が含まれていても良い。例えば、ライフログ取得部１７ｔは、優先度情報記憶部１３ｆに記憶されている当該取得除外情報に基づいてライフログ記憶部１３ｄを検索した際に、当該キーワードの情報を含むライフログを取得対象から除外しても良い。また、この取得除外情報に含まれる当該キーワード等は、ユーザが操作部１４を操作することにより適宜変更可能であることが好ましい。
【００９７】
優先度情報更新部２０は、携帯電話機１０ｔに内蔵されるＣＰＵ、ＤＳＰ、ＲＯＭ、ＲＡＭ等で構成され、当該優先度情報更新部２０の動作において予め規定された所定の周期で、優先度情報記憶部１３ｆに記憶されている優先度情報又は取得除外情報を自動的に更新する。例えば、当該所定の周期が月１回である場合には、優先度情報更新部２０は、月毎に優先度情報又は取得除外情報を更新し、ユーザの嗜好に応じた操作履歴情報を選択することに貢献することができる。なお、優先度情報記憶部１３ｆに記憶されている優先度情報又は取得除外情報は、自動的に更新されなくても、ユーザが操作部１４を操作したことにより手動で更新されても良い。
【００９８】
６．第３の実施形態の携帯電話機１０ｔの動作の説明
図８及び図１２を参照して第３の実施形態の携帯電話機１０ｔの動作を説明する。図１２は、第３の実施形態の携帯電話機１０ｔの動作を説明するフローチャートである。以下、図１２において、コンテンツを音楽データであるとして、コンテンツ処理実行制御部１６により取得された操作履歴情報ＨＪは、図２に示したコンテンツＩＤ「００１」に対する操作履歴情報ＨＪであるとして説明する。
【００９９】
図１２において、ステップＳ４１からステップＳ４３までの動作内容は、図９に示した第２の実施形態の携帯電話機１０ｓの動作内容のステップＳ２１からステップＳ２３までの動作内容と重複する。このため、当該ステップＳ４１からステップＳ４３までの動作内容の説明は省略するが、当該ステップＳ４１からステップＳ４３までの動作内容は、対応する第１の実施形態の携帯電話機１０の動作内容のステップＳ１１からステップＳ１３までの動作内容と読み替えることにより実施可能な程度に説明可能である。
【０１００】
コンテンツ処理実行制御部１６ｔは、ステップＳ４２により取得されたコンテンツＩＤに基づいて操作履歴情報記憶部１３ａを検索し、当該コンテンツＩＤに対応する操作履歴情報ＨＪが操作履歴情報記憶部１３ａに少なくとも１つ記憶されているか否かを判定する（Ｓ４４）。
【０１０１】
ステップＳ４２により取得されたコンテンツＩＤに対応する操作履歴情報ＨＪが操作履歴情報記憶部１３ａに記憶されていないと判定された場合には（Ｓ４４、ＮＯ）、コンテンツ処理実行制御部１６ｔは、ステップＳ４３により取得されたコンテンツに応じて、当該コンテンツを提示部１１に提示するように制御し（Ｓ４５）、図１２のフローチャートは終了する。即ち、ステップＳ４５においては、コンテンツ処理実行制御部１６ｔは、ステップＳ４３により取得されたコンテンツが音楽データである場合には、当該音楽データであるコンテンツを再生して音声出力部１１ｂに音声出力させるように制御する。
【０１０２】
ステップＳ４２により取得されたコンテンツＩＤに対応する操作履歴情報ＨＪが操作履歴情報記憶部１３ａに少なくとも１つ記憶されていると判定された場合には（Ｓ４４、ＹＥＳ）、コンテンツ処理実行制御部１６ｔは、当該取得された操作履歴情報ＨＪは複数あるか否かを判定する（Ｓ４６）。
【０１０３】
ステップＳ４６において当該取得された操作履歴情報ＨＪは複数あると判定された場合（Ｓ４６、ＹＥＳ）、コンテンツ処理実行制御部１６ｔは、優先度情報記憶部１３ｆに記憶されている優先度情報を参照して取得し、当該取得された優先度情報に基づいて優先的に使用する単一の操作履歴情報ＨＪを選択し（Ｓ４７）、ステップＳ４８の動作に進む。
【０１０４】
ステップＳ４６において当該取得された操作履歴情報ＨＪは複数なく単一であると判定された場合（Ｓ４５、ＮＯ）、ステップＳ４８の動作に進む。
【０１０５】
ステップＳ４８からステップＳ５４までの動作内容は、図９に示した第２の実施形態の携帯電話機１０ｓの動作内容のステップＳ２６からステップＳ３２までの動作内容と重複する。このため、当該ステップＳ４８からステップＳ５４までの動作内容の説明は省略するが、当該ステップＳ４８からステップＳ５４までの動作内容は、対応する第２の実施形態の携帯電話機１０ｓの動作内容のステップＳ２６からステップＳ３２までの動作内容と読み替えることにより実施可能な程度に説明可能である。
【０１０６】
以上により、第３の実施形態のコンテンツ処理実行装置である携帯電話機１０ｔは、コンテンツを処理実行した操作相手との操作履歴情報ＨＪが複数取得された場合に、優先度情報記憶部１３ｆに記憶されている優先度情報に基づいて優先的に使用する単一の操作履歴情報ＨＪを選択する。第１の実施形態又は第２の実施形態の携帯電話機１０又は携帯電話機１０ｓでは、複数ある全ての操作履歴情報ＨＪに対応したライフログを提示部１１に提示しようとした場合に、当該全てのライフログを提示するために相当の時間がかかる可能性があり、ユーザがコンテンツを楽しむことが難しくなる可能性があった。第３の実施形態の携帯電話機１０ｔによれば、第１の実施形態又は第２の実施形態の携帯電話機１０又は携帯電話機１０ｓに比べて、複数ある全ての操作履歴情報ＨＪに対応したライフログを提示部１１に提示した場合に個々のライフログを提示する時間を極めて短くしてユーザに不快感を与えたり、又は記憶の想起を逆に妨げたりすることを防止することができる。
【０１０７】
［第４の実施形態］
７．第４の実施形態の携帯電話機１０ｆの構成
図１３は、第４の実施形態の携帯電話機１０ｆの内部構成を示すブロック図である。図１３に示すように、携帯電話機１０ｆは、提示部１１と、記憶部１３と、操作部１４と、操作履歴情報生成部１５と、コンテンツ処理実行制御部１６と、ライフログ取得部１７と、ライフログ提示制御部１８ｆと、キャプション提示制御部１９ｆと、優先度情報更新部２０と、連絡画面表示制御部２１とを備える。第４の実施形態の携帯電話機１０ｆは、第３の実施形態の携帯電話機１０ｔに、連絡画面表示制御部２１を更に備えたものであり、図１、図６又は図１０と同一部分には同一符号を付してその詳しい説明を省略し、ここでは異なる部分について主に述べる。
【０１０８】
第４の実施形態においては、ライフログ提示制御部１８ｆは、ライフログ取得部１７から取得した操作日時の情報、ユーザ情報及びライフログを表示部１１ａに表示する際、当該ユーザ情報に対応する相手に対して連絡するための連絡画面の表示起動を促す連絡ボタンであるメールボタンＭＢ及び電話ボタンＴＢも併せて表示する（図１４(ａ)、(ｂ)及び図１５(ａ)、(ｂ)参照）。
【０１０９】
同様に、キャプション提示制御部１９ｆは、ライフログ取得部１７により出力された操作日時及び操作内容の各情報、テンプレートデータ並びにユーザ情報に基づいて生成されたキャプションを表示部１１ａに表示する際、同様の連絡ボタンであるメールボタンＭＢ及び電話ボタンＴＢも併せて表示しても良い（図１４(ａ)、(ｂ)及び図１５(ａ)、(ｂ)参照）。
【０１１０】
連絡画面表示制御部２１は、携帯電話機１０ｆに内蔵されるＣＰＵ、ＤＳＰ、ＲＯＭ、ＲＡＭ等で構成され、ライフログ提示制御部１８又はキャプション提示制御部１９によりそれぞれ表示部１１ａに表示された連絡ボタンが押下された旨の操作信号を操作部１４から取得した場合に、当該押下された連絡ボタンに応じた連絡画面を表示部１１ａに表示する。この操作信号には、連絡ボタンであるメールボタンＭＢ又は電話ボタンＴＢの種別が含まれる。
【０１１１】
例えば、連絡ボタンとしてメールボタンＭＢが押下された場合には、連絡画面表示制御部２１は、当該押下された時点において表示されているライフログ又はキャプションに対応する操作相手のユーザ情報に基づいて、当該操作相手にメール送信するための連絡画面ＭＰ（図１４（ｄ）参照）を表示する。この連絡画面ＭＰは、当該操作相手のユーザ情報に基づいてメールアドレスが宛先に入力された状態で表示され、当該連絡画面ＭＰから直接メールの送信が可能にされていることが好ましい。また、連絡ボタンとして電話ボタンＴＢが押下された場合には、連絡画面表示制御部２１は、当該押下された時点において表示されているライフログ又はキャプションに対応する操作相手のユーザ情報に基づいて、当該操作相手に電話するための連絡画面ＴＰ（図１４（ｃ）参照）を表示する。この連絡画面ＴＰは、当該操作相手のユーザ情報に基づいて電話番号が表示された状態で表示され、当該連絡画面ＴＰから直接電話可能にされていることが好ましい。
【０１１２】
８．第４の実施形態の携帯電話機１０ｆの動作の説明
図１４〜図１６を参照して第４の実施形態の携帯電話機１０ｆの動作を説明する。図１４は、第４の実施形態における携帯電話機１０ｆの動作概要を示す説明図である。同図（ａ）は、表示部１１ａに表示されたキャプションの一例を示す説明図である。同図（ｂ）は、表示部１１ａに表示されたキャプション及びライフログの一例を示す説明図である。同図（ｃ）は、連絡画面ＴＰの一例を示す説明図である。同図（ｄ）は、連絡画面ＭＰの一例を示す説明図である。
【０１１３】
図１５は、第４の実施形態における携帯電話機１０ｆの動作概要を示す説明図である。同図（ａ）は、表示部１１ａに表示されたキャプションの一例を示す説明図である。同図（ｂ）は、表示部１１ａに表示されたキャプション及びライフログの一例を示す説明図である。同図（ｃ）は、連絡画面ＴＰの一例を示す説明図である。同図（ｄ）は、連絡画面ＭＰの一例を示す説明図である。
【０１１４】
図１６は、第４の実施形態の携帯電話機１０ｆの動作を説明するフローチャートである。以下、図１４〜図１６において、コンテンツを音楽データであるとして、コンテンツ処理実行制御部１６により取得された操作履歴情報ＨＪは、図２に示したコンテンツＩＤ「００１」に対する操作履歴情報ＨＪであるとして説明する。
【０１１５】
図１６において、ステップＳ６１からステップＳ７２までの動作内容は、図１２に示した第３の実施形態の携帯電話機１０ｔの動作内容のステップＳ４１からステップＳ５２までの動作内容と重複する。このため、当該ステップＳ６１からステップＳ７２までの動作内容の説明は省略するが、当該ステップＳ６１からステップＳ７２までの動作内容は、対応する第３の実施形態の携帯電話機１０ｔの動作内容のステップＳ４１からステップＳ５２までの動作内容と読み替えることにより実施可能な程度に説明可能である。
【０１１６】
ステップＳ７３において、キャプション提示制御部１９ｆは、コンテンツ処理実行制御部１６がコンテンツ記憶部１３ｂから取得したコンテンツを処理実行し始めたとき、ステップＳ７２により生成されたキャプションを提示部１１に提示するように制御する（Ｓ７３）。即ち、キャプション提示制御部１９ｆは、当該生成されたキャプションの内容を表示部１１ａに表示させるように制御する。又は、キャプション提示制御部１９ｆは、当該生成されたキャプションの内容を音声出力部１１ｂに音声出力させるように制御する。更に、キャプション提示制御部１９ｆは、ライフログ取得部１７から取得した操作日時及び操作内容の各情報、テンプレートデータ並びにユーザ情報を表示部１１ａに表示する際、当該ユーザ情報に対応する相手に対して連絡するための連絡画面ＴＰ又は連絡画面ＭＰの表示起動を促す連絡ボタンであるメールボタンＭＢ及び電話ボタンＴＢを併せて表示する（図１４（ａ）、図１５（ａ）参照）。更に、キャプション提示制御部１９ｆは、連絡画面ＴＰ又は連絡画面ＭＰを表示起動するための補足説明を表示部１１ａのキャプション表示領域ＣＲに表示することが好ましい。この補足説明により、ユーザは、当該表示されたメールボタンＭＢ及び電話ボタンＴＢの内容を迅速に確認することができる。
【０１１７】
ステップＳ７３によりキャプションが提示部１１により提示された後、ライフログ提示制御部１８ｆは、ライフログ取得部１７により出力された操作日時の情報、ユーザ情報及びライフログを取得する。ライフログ提示制御部１８ｆは、コンテンツ処理実行制御部１６がコンテンツ記憶部１３ｂから取得したコンテンツを処理実行している間に、当該取得された操作日時の情報、ユーザ情報及びライフログを提示部１１に提示するように制御する（Ｓ７４）。即ち、ライフログ提示制御部１８ｆは、当該取得された操作日時の情報、ユーザ情報及びライフログを表示部１１ａに表示させるように制御する。
【０１１８】
例えば、図１４（ｂ）に示すように、表示部１１ａのライフログ表示領域ＬＲには、図８（ａ）にて選択されたコンテンツＩＤが「００１」である「ｔｒａｃｋ０００」の操作履歴情報ＨＪに基づく操作日時の情報及びユーザ情報、並びにライフログが表示される。
【０１１９】
より具体的には、ライフログ提示制御部１８ｆは、ライフログ取得部１７より取得した操作日時の情報及びユーザ情報に基づいて「以下は、２０１０年１月２０日におけるＸＸＸさんとのライフログです」というライフログのキャプションと、当該ライフログであるＸＸＸさんへ送信したメール本文である「元気ですか？こちらではなんとか元気にやっていますよ・・・・・・」というライフログと、前述した連絡画面ＴＰ又は連絡画面ＭＰを表示起動するための補足説明とを表示部１１ａのライフログ表示領域ＬＲに表示する。更に、ライフログ提示制御部１８ｆは、表示部１１ａのライフログ表示領域ＬＲに、連絡画面ＴＰ又は連絡画面ＭＰを表示起動するための補足説明を表示する。
【０１２０】
また、例えば図１５（ｂ）に示すように、コンテンツが動画データである場合には、コンテンツ処理実行制御部１６は、表示部１１ａのコンテンツ表示領域ＤＲには当該コンテンツである動画データを再生して表示すると共に、ライフログ提示制御部１８は、表示部１１ａのライフログ表示領域ＬＲにライフログをテロップＴＬの形式で表示するようにしても良い。これにより、ユーザは、当該コンテンツの再生内容を確認しながらテロップＴＬとして表示されるライフログの内容を確認することにより、当該コンテンツに対する操作相手のことをより鮮明に想起する可能性を向上し、当該相手とのコミュニケーションの促進を図ることができる。
【０１２１】
ステップＳ７４の動作の後、連絡画面表示制御部２１は、表示部１１ａに表示された連絡ボタンであるメールボタンＭＢ又は電話ボタンＴＢが押下された旨の操作信号を操作部１４から取得したか否かを判定する（Ｓ７５）。当該操作信号が操作部１４より取得したと判定された場合には（Ｓ７５、ＹＥＳ）、連絡画面表示制御部２１は、当該操作部１４より取得した操作信号に含まれる連絡ボタンの種別に応じた連絡画面を表示部１１ａに表示する（Ｓ７６）。
【０１２２】
以上により、第４の実施形態の携帯電話機１０ｆは、コンテンツを処理実行した操作相手との操作履歴情報ＨＪを保持し、当該コンテンツの処理実行中に当該操作履歴情報ＨＪに応じたライフログ及びキャプションをユーザに対して確認的に提示する。更に、当該携帯電話機１０ｆは、当該提示されたライフログに対応する操作対象人物である相手に連絡するための連絡ボタンも併せてユーザに対して提示する。これにより、当該携帯電話機１０は、当該ユーザの当該コンテンツの操作対象人物である相手のことを視覚的又は聴覚的に想起させて、連絡ボタンの押下に応じて連絡画面を表示部１１ａに表示させることにより、当該相手とのコミュニケーションの促進をより高頻度に図ることができる。
【０１２３】
以上、添付図面を参照しながら各種の実施形態について説明したが、本発明のコンテンツ処理実行装置、コンテンツ処理実行方法及びプログラムはかかる例に限定されないことは言うまでもない。当業者であれば、特許請求の範囲に記載された範疇内において、各種実施形態の変更例または修正例、更に各種実施形態の組み合わせ例に想到し得ることは明らかであり、それらについても当然に本発明の技術的範囲に属するものと了解される。
【０１２４】
例えば、前述した第１の実施形態の携帯電話機１０のライフログ提示制御部１８は、図４（ｂ）に示したライフログのキャプションを、ライフログ取得部１７により出力された操作内容の情報に応じて、当該キャプションの内容の中に当該操作内容の情報を含めるように生成して提示部１１に提示するようにしても良い。この場合には、第２の実施形態におけるキャプションテンプレートと同ように、当該操作内容の情報に応じたキャプションテンプレートが記憶部１３に予め記憶され、ライフログ提示制御部１８は、当該記憶されたキャプションテンプレートを参照してキャプションを生成して提示することが好ましい。
【０１２５】
図１７は、従来の携帯電話機の表示部に各種のボタンが表示された画面の一例を示す説明図である。前述した第４の実施形態の一例として、コンテンツが音楽データである場合に、図１７に示す様なコンテンツ再生用のアプリケーションの画面において、ライフログ提示制御部１８及びキャプション提示制御部１９は、例えば曲リストボタンＢ２及びＢＧＭボタンＢ５の代わりに、前述した連絡ボタンであるメールボタンＭＢ及び電話ボタンＴＢをそれぞれ表示するように制御しても良い。この場合、当該曲リストボタンＢ２及びＢＧＭボタンＢ５の押下によって実行される曲リストの表示機能及びＢＧＭ再生機能は、機能ボタンＢ４の押下によって表示される機能メニューリストの一部として含まれることが好ましい。
【０１２６】
また、前述した第４の実施形態の変形例として、コンテンツが音楽データである場合に、図１７に示す様なコンテンツ再生用のアプリケーションの画面において、ライフログ提示制御部１８及びキャプション提示制御部１９は、停止ボタンＢ１、曲リストボタンＢ２、一時停止ボタンＢ３、機能ボタンＢ４及びＢＧＭボタンＢ５のうち、例えば機能ボタンＢ４に含まれる複数のメニューに前述した連絡ボタンであるメールボタンＭＢ及び電話ボタンＴＢを起動表示可能に含めるように制御しても良い。
【０１２７】
また、前述した第４の実施形態の更なる変形例として、ライフログ提示制御部１８及びキャプション提示制御部１９は、前述した連絡ボタンであるメールボタンＭＢ及び電話ボタンＴＢを所定のテンキーを含む携帯電話機１０ｆの各ボタンのいずれかの押下に応じて表示するように、当該連絡ボタンと当該各ボタンとの関係が当該ライフログ提示制御部１８及びキャプション提示制御部１９の動作において予め規定されていることが好ましい。
【０１２８】
なお、前述した各実施形態では、携帯電話機１０，１０ｓ，１０ｔ，１０ｆを例に挙げて説明した。しかし、本発明の携帯端末は携帯電話機１０，１０ｓ，１０ｔ，１０ｆに限定されず、例えば、ＰＣ（Personal Computer）又はＰＤＡ等の電子機器にも広く適用することが可能である。
【０１２９】
なお、本出願は、２０１０年６月１５日出願の日本特許出願（特願２０１０−１３６６１７）に基づくものであり、その内容はここに参照として取り込まれる。
【産業上の利用可能性】
【０１３０】
本発明は、コンテンツを用いて処理実行した操作対象である相手を想起させて当該相手とのコミュニケーションの促進を図るコンテンツ処理実行装置、コンテンツ処理実行方法及びプログラムして有用である。
【符号の説明】
【０１３１】
１０、１０ｆ、１０ｓ、１０ｔ  携帯電話機
１１  提示部
１１ａ  表示部
１１ｂ  音声出力部
１３  記憶部
１３ａ  操作履歴情報記憶部
１３ｂ  コンテンツ記憶部
１３ｃ  ユーザ情報記憶部
１３ｄ  ライフログ記憶部
１３ｅ  テンプレート記憶部
１３ｆ  優先度情報記憶部
１４  操作部
１５  操作履歴情報生成部
１６  コンテンツ処理実行制御部
１７  ライフログ取得部
１８  ライフログ提示制御部
１９  キャプション提示制御部
２０  優先度情報更新部
２１  連絡画面表示制御部
ＢＰ、ＴＰ  連絡画面
ＣＲ  キャプション表示領域
ＣＴ  テンプレート管理情報
ＤＲ  コンテンツ表示領域
ＨＪ  操作履歴情報
ＬＲ  ライフログ表示領域
ＬＴ  ライフログ管理情報
ＭＢ  メールボタン
ＳＫ  スキップボタン
ＴＢ  電話ボタン
ＴＬ  テロップ
【図１】
2011158418.tif 000003
【図２】
2011158418.tif 000004
【図３】
2011158418.tif 000005
【図４】
2011158418.tif 000006
【図５】
2011158418.tif 000007
【図６】
2011158418.tif 000008
【図７】
2011158418.tif 000009
【図８】
2011158418.tif 000010
【図９】
2011158418.tif 000011
【図１０】
2011158418.tif 000012
【図１１】
2011158418.tif 000013
【図１２】
2011158418.tif 000014
【図１３】
2011158418.tif 000015
【図１４】
2011158418.tif 000016
【図１５】
2011158418.tif 000017
【図１６】
2011158418.tif 000018
【図１７】
2011158418.tif 000019
【国際調査報告】
2011158418.tif 000020
2011158418.tif 000021